(57)【要約】      （修正有）【課題】液体を詰替え中に、操作が簡単で、漏れることのない簡便な構造を備える液体容器を提供する。【解決手段】容器内に液体を詰め替えるための目隠し詰替え導管32が、操作棒30内に設けられ、容器の空洞を目隠し詰替え導管32と結合するためのオリフィスが、操作棒30の突出部分上に設けられ、オリフィスは、封止リング31が最初の位置にあるとき、封止リング31によって封鎖され、封止リング31が操作棒30に対して移動するとき、オリフィスは開放されることが可能であり、径方向の間隙が、前記操作棒の底部と前記穴との間に設けられ、封止リング31が最初の位置から移動するとき、その間隙を通って空気が容器の空洞から大気へ導かれ、圧縮ばね40が、カバー20の空洞内に格納されている操作棒30の部分上に引っ張られる。【選択図】図３
2015009818.tif 000002
【特許請求の範囲】
【請求項１】
空洞および開口を含む本体と、
前記空洞内に設けられ、前記本体内に形成された通気導管を介して前記開口に結合されている通気パイプと、
前記本体の前記開口に結合されているカバーであって、開放している一方の端部、および穴を介して前記本体の前記空洞に連通している他方の端部を含む空洞を備え付けるカバーと、
前記カバーに結合されている操作棒であって、前記穴を介して前記本体の前記空洞に延在する突出部分、前記カバーの前記空洞内に格納されている中間部分、および前記カバーの前記空洞の前記開放端部に結合されている径方向に拡大した頭部を備え、さらに、前記容器内に液体を詰替えるための目隠し詰替え導管、および前記本体の前記空洞を前記詰替え導管と結合するためのオリフィスを備え付ける操作棒と、
前記突出部分に結合されている封止リングであって、前記封止リングが最初の位置にあるとき、前記オリフィスが封鎖され、前記封止リングが前記操作棒の前記突出部分に沿って移動するにつれて、前記オリフィスが開放されるようになる、封止リングと、
前記中間部分に取り付けられている圧縮ばねであって、前記操作棒が押されるとき、圧縮され、前記操作棒が放されるとき、元の状態に戻る圧縮ばねと
を備える詰替え可能な液体容器であって、
前記突出部分と前記穴との間、および前記頭部と前記カバーの前記開放端部との間にそれぞれ径方向の間隙が設けられて、前記通気パイプ、前記通気導管および前記間隙を介して、前記容器の前記空洞と大気との間に空気連通が確立され、前記通気導管もまた、前記封止リングが前記最初の位置にあるとき、前記封止リングによって封鎖され、前記封止リングが前記突出部分に沿って移動するにつれて、開放されることを特徴とする、詰替え可能な液体容器。
【請求項２】
前記封止リングが軸方向に移動するために、径方向に減少する区域が前記突出部分上に設けられ、前記目隠し詰替え導管の前記オリフィスが、前記径方向に減少する部分の一方の側に形成されていることを特徴とする、請求項１記載の詰替え可能な液体容器。
【請求項３】
好ましくは、前記頭部に、前記詰替え導管に対応する位置にも穴を備えたプラスチック製スペーサが嵌め込まれていることを特徴とする、請求項１記載の詰替え可能な液体容器。
【請求項４】
前記封止リングを停止するための凹所が、好ましくは、前記操作棒の下の位置に前記容器内に設けられることを特徴とする、請求項１記載の詰替え可能な液体容器。
【請求項５】
前記通気パイプが、前記本体の側壁近傍に配置され、前記本体の閉鎖端部に接近して延在することを特徴とする、請求項１記載の詰替え可能な液体容器。
【発明の詳細な説明】
【技術分野】
【０００１】
本発明は、液体を入れるための容器に関し、具体的には、詰替え可能な液体容器に関する。
【背景技術】
【０００２】
いくつかの詰替え可能な香水瓶が従来技術で開示されてきたが、しかし、そのような詰替え機構を備える香水瓶は、通常、糸または他の手段によって瓶の開口に結合されている封止プラグを必要とし、瓶に詰替える必要がある場合、封止プラグをねじって取り外さねばならず、それは不便で、時間がかかり、糸による結合以外では、いくつかの封止プラグが瓶の中に押し込まれ、瓶と締り嵌めの状態になるが、しかし、そのような封止は締り嵌めを達成するために、封止プラグ上に相対的に大きな押付力が必要であり、小さい押付力が原因で隙間嵌めの状態になっている場合、液体が瓶から漏れ、室温で揮発するおそれがある。
【発明の概要】
【発明が解決しようとする課題】
【０００３】
本発明の１つの目的は、液体を詰替え中に、操作が簡単で、漏れることのない簡便な構造を備える液体容器を提供することによって、従来技術の容器に伴う問題に対処することである。
【課題を解決するための手段】
【０００４】
本発明の一態様により、詰替え可能な液体容器が提供され、その容器は、空洞および開口を含む本体と、空洞内に設けられ、本体内に形成された通気導管を介して開口に結合されている通気パイプと、本体の開口に結合されているカバーであって、開放している一方の端部、および穴を介して本体の空洞に連通している他方の端部を含む空洞を備え付けるカバーと、カバーに結合されている操作棒であって、穴を介して本体の空洞に延在する突出部分、カバーの空洞内に格納されている中間部分、およびカバーの空洞の開放端部に結合されている径方向に拡大した頭部を備え、さらに、容器内に液体を詰替えるための目隠し詰替え導管、および本体の空洞を詰替え導管と結合するためのオリフィスを備え付ける操作棒と、突出部分に結合されている封止リングであって、封止リングが最初の位置にあるとき、オリフィスが封鎖され、封止リングが操作棒の突出部分に沿って移動するにつれて、オリフィスが開放されるようになる封止リングと、中間部分に取り付けられている圧縮ばねであって、操作棒が押されるとき、圧縮され、操作棒が放されるとき、元の状態に戻る圧縮ばねとを備え、突出部分と穴との間、および頭部とカバーの開放端部との間にそれぞれ径方向の間隙が設けられて、通気パイプ、通気導管および間隙を介して、容器の空洞と大気との間に空気連通が確立され、通気導管もまた、封止リングが最初の位置にあるとき、封止リングによって封鎖され、封止リングが突出部分に沿って移動するにつれて、開放されることを特徴とする。
【０００５】
好ましくは、封止リングが軸方向に移動するために、径方向に減少する区域が前記突出部分上に設けられ、それによって、拡大端部頭部および肩部が突出部分の各端部上に形成され、目隠し詰替え導管の前記オリフィスが、径方向に減少する部分の一方の端部の周りに形成されている。
【０００６】
好ましくは、前記頭部に、目隠し詰替え導管に対応する位置にも穴を備えたプラスチック製スペーサが嵌め込まれている。
【０００７】
封止リングを停止するための凹所部分が、本体の空洞とカバーとの間に設けられている。
【０００８】
好ましくは、通気パイプが、本体の側壁近傍に配置され、本体の閉鎖端部に接近して延在する。
【図面の簡単な説明】
【０００９】
【図１】本発明の一実施形態による、容器の斜視図である。
【図２】本発明の一実施形態による、容器の分解図である。
【図３】容器の一実施形態による、等角断面図である。
【図４】容器内部への液体の詰替えを図示する等角断面図である。
【発明を実施するための形態】
【００１０】
次いで、添付の図面を参照して、本発明の様々な実施形態を詳細に説明する。
本発明の一実施形態の図１、２、および４により、本体１０、カバー２０、操作棒３０、封止リング３１および圧縮ばね４０を備える、香水または防臭剤などの液体を詰替えるための容器を提供する。
【００１１】
本体１０が、閉鎖端部、側壁、およびカバー２０に結合するための開口を備え、その閉鎖端部、側壁、および開口が、液体を入れるための空洞を形成する。本体は、その空洞内部に通気パイプ１１を備え付け、前記通気パイプ１１は、本体内に形成されている通気導管１２を介して導くように開口に結合されており、通気パイプ１１は、好ましくは、本体の側壁近傍に配置され、本体の閉鎖端部に接近して延在する。
【００１２】
本体の開口に結合されているカバー２０は、開放している一方の端部、および穴２２を介して本体の空洞と連通している他方の端部を含む凹所２１を備え付ける。
【００１３】
操作棒３０が、カバー２０に結合されており、操作棒３０は、穴２２を介して本体の空洞に延在する突出部分、カバー２０の空洞内に格納されている中間部分、およびカバー２０の空洞の開放端部に結合されている径方向に拡大した頭部を備える。容器内に液体を詰替えるための目隠し詰替え導管３２が操作棒３０内に設けられ、本体の空洞を目隠し詰替え導管３２と結合するためのオリフィス３３が操作棒３０の突出部分上に設けられ、封止リング３１が突出部分に、ある位置で結合されて、封止リング３１が最初の位置にあるとき、オリフィス３３が封鎖され、封止リング３１が操作棒３０の突出部分に沿って移動するにつれて、オリフィス３３が開放されるようになる。
【００１４】
前記操作棒３０の突出部分と前記穴２２との間、および頭部とカバー２０の開放端部との間にそれぞれ径方向の間隙５０が設けられて、それを介して、通気導管１２が大気と連通し、通気導管１２と大気の連通は、封止リング３１が最初の位置にあるとき、封止リング３１によって封鎖され、封止リング３１が最初の位置から移動するとき、開放される。
【００１５】
圧縮ばね４０が、操作棒３０の中間部分に取り付けられており、操作棒３０が押されるとき、圧縮ばね４０は圧縮され、操作棒３０が放されるとき、圧縮ばね４０は元の状態に戻る。
【００１６】
封止リング３１が軸方向に移動するための、径方向に減少する区域３４が操作棒３０の前記突出部分上に設けられ、それによって、拡大端部頭部および肩部が突出部分の各端部上に形成され、目隠し詰替え導管３２の前記オリフィス３３が、径方向に減少する区域３４の一方の端部の周りに形成されている。
【００１７】
好ましくは、前記頭部に、目隠し詰替え導管３２に対応する位置にも穴６１を備えたプラスチック製スペーサ６０が嵌め込まれている。
【００１８】
図４に示すように、封止リング３１を停止するための凹所部分１３が、本体の空洞とカバー２０との間に設けられることが好ましい。
【００１９】
図４を参照すると、操作棒３０が押されるとき、封止リング３１は操作棒３０と同じ方向に移動し、封止リング３１が凹所部分１３によって停止されるまで、最初の位置を離れ、封止リング３１が最初の位置を離れるにつれて、通気導管１２が間隙５０を介して大気につながる。操作棒３０は、肩部が封止リング３１に係合するまでさらに移動し、次いで、封止リング３１はオリフィス３３から完全に離れ、それによって、目隠し詰替え導管３２が開放し、したがって、液体が容器の上部から本体の空洞内に充填される場合、液体が目隠し詰替え導管３２、オリフィス３３を通って流れ、最後に本体の空洞に到達し、液体が本体内に導かれるにつれて、次いで、本体の空洞内の空気が押し出され（矢印で示す方向に）、通気パイプ１１、通気導管１２および径方向間隙５０を通って大気へ押し出され、それによって、香水またはアフターシェーブローションなどの液体が容器の本体内に充填され、目隠し詰替え導管３２が下方へ向いている場合、本体内の液体が、オリフィス３３および目隠し詰替え導管３２を通って本体から流れ出て、同時に空気が、間隙５０、通気導管１２および通気パイプを介して、大気から本体の空洞内に吸い込まれる。
図３を参照すると、操作棒３０が放されるとき、圧縮ばね４０が元に戻ることによって操作棒３０は逆に移動し、封止リング３１は、操作棒３０が最初の位置へ移動すると共に、頭部端部によって引き戻され、最初の位置では、目隠し詰替え導管３２のオリフィス３３が覆われ、通気導管１２と間隙の連通が閉鎖され、したがって、容器の本体は漏出を防止することができる。
【図１】
2015009818.tif 000003
【図２】
2015009818.tif 000004
【図３】
2015009818.tif 000005
【図４】
2015009818.tif 000006
【外国語明細書】
2015009818000001.pdf